(57)【要約】【課題】施工が容易で、重畳箇所から液漏れし難い傷防止・通気防水性保護シートを提供すること。【解決手段】緩衝通気層１０１と、緩衝通気層１０１の２つの表面上にそれぞれラミネートされた第１傷防止結合層２０１及び第２傷防止結合層３０１を含み、緩衝通気層１０１、第１傷防止結合層２０１及び第２傷防止結合層３０１が通気性を備え、緩衝通気層１０１が非織物であり、第１傷防止結合層２０１及び第２傷防止結合層３０１がプラスチックゴム弾性体である。【選択図】図１
0003223408.tif 000002
【実用新案登録請求の範囲】
【請求項１】
傷防止・通気防水性保護シートであって、緩衝通気層と、該緩衝通気層の２つの表面上にそれぞれラミネートされた第１傷防止結合層及び第２傷防止結合層を含み、
前記緩衝通気層、前記第１傷防止結合層及び前記第２傷防止結合層が通気性を備え、
前記緩衝通気層が非織物であり、該非織物の材料が、ポリエチレン繊維、ポリオレフィン繊維、ポリエステル繊維、セルロース繊維、再生セルロース繊維、ポリアミド繊維、鉱物繊維、金属繊維から少なくとも１つの繊維材料が選択され、
前記第１傷防止結合層及び第２傷防止結合層がプラスチックゴム弾性体であり、該プラスチックゴム弾性体が、ポリ塩化ビニル（ＰＶＣ）、ポリオレフィン、熱可塑性ポリウレタン（ＴＰＵ）、熱塑性ポリオレフィン（ＴＰＯ）、スチレン−ブタジエン−スチレン（ＳＢＳ）、水添スチレン−ブタジエン−スチレン（ＳＥＢＳ）、アクリロニトリル−ブタジエン−スチレン（ＡＢＳ）、アクリロニトリル−ブタジエンゴム（ＮＢＲ）、クロロプレンゴム（ｃｈｌｏｒｏｐｒｅｎｅ  ｒｕｂｂｅｒ，ＣＲ）、天然ゴム、ブチルゴム（ＩＩＲ）、架橋反応型エラストマーまたはそのブレンドから選択される、
ことを特徴とする、傷防止・通気防水性保護シート。
【請求項２】
前記緩衝通気層が非織物であり、該非織物が、スパンレース不織布、スパンボンド不織布、ニードルパンチ不織布、レジンボンド不織布、エアスルー不織布、ステッチボンド不織布またはその複合プロセスの不織布である、ことを特徴とする、請求項１に記載の傷防止・通気防水性保護シート。
【請求項３】
前記緩衝通気層、前記第１傷防止結合層、前記第２傷防止結合層の少なくとも１つの平面上に少なくとも１つの図案が印刷またはエンボス加工されたことを特徴とする、請求項１に記載の傷防止・通気防水性保護シート。
【請求項４】
前記第１傷防止結合層及び前記第２傷防止結合層が、繊維粘着構造、有孔フィルム構造、微多孔フィルム構造の少なくとも１つの構造である、ことを特徴とする、請求項１に記載の傷防止・通気防水性保護シート。
【請求項５】
前記第１傷防止結合層及び前記第２傷防止結合層の表面が粘着力を備え、両者の粘着力が異なる、または同じである、ことを特徴とする、請求項１に記載の傷防止・通気防水性保護シート。
【請求項６】
前記第１傷防止結合層及び該第２傷防止結合層の表面構造が光沢のある滑らかな平面構造である、ことを特徴とする、請求項１に記載の傷防止・通気防水性保護シート。
【請求項７】
前記第１傷防止結合層がプラスチックゴム弾性体であり、該プラスチックゴム弾性体内に、離型材料、無機微粒子、難燃剤または増粘剤の少なくとも１つの添加剤が添加される、ことを特徴とする、請求項１に記載の傷防止・通気防水性保護シート。
【請求項８】
前記第２傷防止結合層がプラスチックゴム弾性体であり、該プラスチックゴム弾性体内に、離型材料、無機微粒子、難燃剤または増粘剤の少なくとも１つの添加剤が添加される、ことを特徴とする、請求項１に記載の傷防止・通気防水性保護シート。
【請求項９】
前記傷防止・通気防水性保護シートの透湿度（Ｍ．Ｖ．Ｔ．、ＡＳＴＭ  Ｅ９６−ＢＷ）が、１００ｇ／ｍ２. ２４ｈｒｓから５０００ｇ／ｍ２. ２４ｈｒｓの間である、ことを特徴とする、請求項１に記載の傷防止・通気防水性保護シート。
【請求項１０】
前記傷防止・通気防水性保護シートの耐水圧（Ｗ．Ｒ．Ｓ．、ＡＡＴＣＣ １２７）が、１０ｍｍＨ２Ｏから≦５０００ｍｍＨ２Ｏの間である、ことを特徴とする、請求項１に記載の傷防止・通気防水性保護シート。
【考案の詳細な説明】
【技術分野】
【０００１】
本考案は、通気性と柔軟性を備え、床板や壁面上を被覆する傷防止・通気防水性保護シートに関する。
【背景技術】
【０００２】
現代人の生活スタイルは、一日の内の長時間を屋内での活動に費やしており、建築物にも改装や保守が必要である。
通常、屋内の傷防止には、合板やプラスチック製中空パネルを使用して床板や壁面を被覆し、重い物を移動する時に生じる摩擦や衝突で床板や壁面の表面が破壊されないように保護している。
また保護フィルム類の製品で床板や壁面を覆うこともあるが、保護フィルム製品は傷に対する耐性が不足しており、かつ保護フィルムの境界が重なり合ったときの密着性も不足しているため、施工時に使用する液体が浸漏しやすく、長時間の改装工事で床面や壁面に永久的な汚損が生じることがある。
【０００３】
従来、複合軟性防水帯及びその製造方法についての研究として、例えば特許文献１に新しい構造の建築防水補助材が開示されている。これは下から上に、フィルム材料基材、粘着結合作用を発揮するブチルゴム粘着層とライニングで構成される。そのうち、フィルム材料基材は、単方向の押圧により襞模様が形成され、該襞模様は１０ｃｍ当たりの襞本数が８０本以上、伸び率が５０％以上である襞状である。該ブチルゴム粘着層は厚みが０.２ｍｍ〜３ｍｍである。
特許文献１には、該防水帯の製造方法も開示されており、該防水帯は優れた抗老化性、長く持続する粘着性、卓越した伸びの展延性、施工の利便性、効果的な漏出と浸透の防止という特性を備えている。
【０００４】
また、フロア通気防水保護装置についての研究として、例えば特許文献２にフロア表面に設置されるフロア通気防水保護装置が開示されている。
これは、保護層と、通気部材と、を含み、該保護層が外表面と、該フロア表面に結合される結合面を備え、該通気部材が気流通路を備え、該気流通路の二端に連接端と通気端がそれぞれ形成され、該連接端が該フロアの表面に設置され、該通気端が外部空間に連接される。上述の装置を設置することにより、フロアの防水及び通気能力が向上される。
【０００５】
さらに、特許文献３はフッ素樹脂フィルムの接合方法、その方法により得られた広幅フッ素樹脂フィルム、それを用いてなる農業用被覆資材及び膜構造物を開示している。
このものは、フィルムの２枚を、その端部同士を重ね合せるように配置し、重ね合せ部分の中央部分を該フッ素樹脂の融点の−５℃以上、＋２０℃以下の温度で加熱圧着し、ついで、該部分の全面を該融点の−３０℃以上、−５℃未満の温度で加熱圧着して、２枚のフィルムを融着している。
【先行技術文献】
【特許文献】
【０００６】
【特許文献１】中華人民共和国特許第ＣＮ１０４６４７８１２Ａ号明細書
【特許文献２】台湾特許第Ｍ４６６９４８号明細書
【特許文献３】中華人民共和国実用新案第ＣＮ１３０５６５９Ｃ号明細書
【考案の概要】
【考案が解決しようとする課題】
【０００７】
上記特許文献に記載された内装工事の傷防止パッドや保護フィルムは、扱いにくい、施工が容易でない、重畳箇所に別途テープ等を追加する必要がある等の問題がある。
本考案が解決しようとする課題は、施工が容易で、重畳箇所から液漏れし難い傷防止・通気防水性保護シートを提供することにある。
【課題を解決するための手段】
【０００８】
本考案の傷防止・通気防水性保護シートは、緩衝通気層と、該緩衝通気層の２つの表面上にそれぞれラミネートされた第１傷防止結合層及び第２傷防止結合層を含み、前記緩衝通気層、前記第１傷防止結合層及び前記第２傷防止結合層が通気性を備え、前記緩衝通気層が非織物であり、該非織物の材料が、ポリエチレン繊維、ポリオレフィン繊維、ポリエステル繊維、セルロース繊維、再生セルロース繊維、ポリアミド繊維、鉱物繊維、金属繊維から少なくとも１つの繊維材料が選択され、前記第１傷防止結合層及び第２傷防止結合層がプラスチックゴム弾性体であり、該プラスチックゴム弾性体が、ポリ塩化ビニル（ＰＶＣ）、ポリオレフィン、熱可塑性ポリウレタン（ＴＰＵ）、熱塑性ポリオレフィン（ＴＰＯ）、スチレン−ブタジエン−スチレン（ＳＢＳ）、水添スチレン−ブタジエン−スチレン（ＳＥＢＳ）、アクリロニトリル−ブタジエン−スチレン（ＡＢＳ）、アクリロニトリル−ブタジエンゴム（ＮＢＲ）、クロロプレンゴム（ｃｈｌｏｒｏｐｒｅｎｅ  ｒｕｂｂｅｒ，ＣＲ）、天然ゴム、ブチルゴム（ＩＩＲ）、架橋反応型エラストマーまたはそのブレンドから選択される。
【０００９】
一実施形態として、前記緩衝通気層が非織物であり、該非織物が、スパンレース不織布、スパンボンド不織布、ニードルパンチ不織布、レジンボンド不織布、エアスルー不織布、ステッチボンド不織布またはその複合プロセスの不織布である。
【００１０】
一実施形態として、前記緩衝通気層、前記第１傷防止結合層、前記第２傷防止結合層の少なくとも１つの平面上に少なくとも１つの図案が印刷またはエンボス加工されている。
【００１１】
一実施形態として、前記第１傷防止結合層及び前記第２傷防止結合層が、繊維粘着構造、有孔フィルム構造、微多孔フィルム構造の少なくとも１つの構造である。
【００１２】
一実施形態として、前記第１傷防止結合層及び前記第２傷防止結合層の表面が粘着力を備え、両者の粘着力が異なる、または同じである。
【００１３】
一実施形態として、前記第１傷防止結合層及び該第２傷防止結合層の表面構造が光沢のある滑らかな平面構造である。
【００１４】
一実施形態として、前記第１傷防止結合層がプラスチックゴム弾性体であり、該プラスチックゴム弾性体内に、離型材料、無機微粒子、難燃剤または増粘剤の少なくとも１つの添加剤が添加される。
【００１５】
一実施形態として、前記第２傷防止結合層がプラスチックゴム弾性体であり、該プラスチックゴム弾性体内に、離型材料、無機微粒子、難燃剤または増粘剤の少なくとも１つの添加剤が添加される。
【００１６】
一実施形態として、前記傷防止・通気防水性保護シートの透湿度（Ｍ．Ｖ．Ｔ．、ＡＳＴＭ  Ｅ９６−ＢＷ）が、１００ｇ／ｍ２. ２４ｈｒｓから５０００ｇ／ｍ２. ２４ｈｒｓの間である。
【００１７】
一実施形態として、前記傷防止・通気防水性保護シートの耐水圧（Ｗ．Ｒ．Ｓ．、ＡＡＴＣＣ １２７）が、１０ｍｍＨ２Ｏから５０００ｍｍＨ２Ｏの間である。
【考案の効果】
【００１８】
本考案の傷防止・通気防水性保護シートは、両面の自己粘着特性を備えた第１傷防止結合層及び第２傷防止結合層によって辺縁の重畳箇所を簡単に接合することができ、この重畳箇所からの漏れも防止できる。
【図面の簡単な説明】
【００１９】
【図１】本考案の実施例を示す傷防止・通気防水性保護シートの断面図である。
【図２】本考案の実施例を示す傷防止・通気防水性保護シートの重畳箇所の断面図である。
【考案を実施するための形態】
【００２０】
以下、図面に基づいて本考案の実施例を詳細に説明する。本考案は、この実施例に限定されるものではなく、本考案の要旨を逸脱することなく、各種の修飾及び変更が可能である。
【００２１】
図１に示すように、本考案の傷防止・通気防水性保護シートは、緩衝通気層１０１と、緩衝通気層１０１の２つの表面上にそれぞれラミネートされた第１傷防止結合層２０１と第２傷防止結合層３０１を含む。
緩衝通気層１０１、第１傷防止結合層２０１及び第２傷防止結合層３０１は通気性を備える。
【００２２】
緩衝通気層１０１は非織物であり、該非織物の材料が、ポリエチレン繊維、ポリオレフィン繊維、ポリエステル繊維、セルロース繊維、再生セルロース繊維、ポリアミド繊維、鉱物繊維、金属繊維から少なくとも１つの繊維材料が選択される。
また、緩衝通気層１０１は非織物であり、非織物が、スパンレース不織布、スパンボンド不織布、ニードルパンチ不織布、レジンボンド不織布、エアスルー不織布、ステッチボンド不織布またはその複合プロセスの不織布である。
【００２３】
第１傷防止結合層２０１及び第２傷防止結合層３０１が、プラスチックゴム弾性体であり、該プラスチックゴム弾性体が、ポリ塩化ビニル（ＰＶＣ）、ポリオレフィン、熱可塑性ポリウレタン（ＴＰＵ）、熱塑性ポリオレフィン（ＴＰＯ）、スチレン−ブタジエン−スチレン（ＳＢＳ）、水添スチレン−ブタジエン−スチレン（ＳＥＢＳ）、アクリロニトリル−ブタジエン−スチレン（ＡＢＳ）、アクリロニトリル−ブタジエンゴム（ＮＢＲ）、クロロプレンゴム（ｃｈｌｏｒｏｐｒｅｎｅ  ｒｕｂｂｅｒ，ＣＲ）、天然ゴム、ブチルゴム（ＩＩＲ）、架橋反応型エラストマーまたはそのブレンドから選択される。
【００２４】
緩衝通気層１０１、第１傷防止結合層２０１、第２傷防止結合層３０１の少なくとも１つの平面上に少なくとも１つの図案が印刷またはエンボス加工され、傷防止・通気防水性保護シート完成品の多様性が高められる。
【００２５】
第１傷防止結合層２０１及び第２傷防止結合層３０１は、繊維粘着構造、有孔フィルム構造、微多孔フィルム構造の内の少なくとも１つの構造である。
第１傷防止結合層２０１及び第２傷防止結合層３０１の表面は粘着力を備え、両者の粘着力が異なる、または同じである。
第１傷防止結合層２０１及び第２傷防止結合層３０１の表面構造は光沢がある滑らかな平面構造とすることがある。
第１傷防止結合層２０１はプラスチックゴム弾性体であり、該プラスチックゴム弾性体内に離型材料、無機微粒子、難燃剤または増粘剤の少なくとも１つの添加剤が添加される。第２傷防止結合層３０１はプラスチックゴム弾性体であり、該プラスチックゴム弾性体内に離型材料、無機微粒子、難燃剤または増粘剤の少なくとも１つの添加剤が添加される。
【００２６】
傷防止・通気防水性保護シートの透湿度（Ｍ．Ｖ．Ｔ．、ＡＳＴＭ  Ｅ９６−ＢＷ）は１００ｇ／ｍ２. ２４ｈｒｓから５０００ｇ／ｍ２. ２４ｈｒｓの間である。
また、傷防止・通気防水性保護シートの耐水圧（Ｗ．Ｒ．Ｓ．、ＡＡＴＣＣ １２７）は１０ｍｍＨ２Ｏから５０００ｍｍＨ２Ｏの間である。
【００２７】
本考案の実際の応用場面について理解を深めるために、傷防止・通気防水性保護シートの辺縁箇所の重畳状態について説明する。
図２に示すように、重畳される２つの傷防止・通気防水性保護シートがいずれも緩衝通気層１０１と、緩衝通気層１０１の２つの表面上にそれぞれラミネートされた第１傷防止結合層２０１及び第２傷防止結合層３０１を備えている。
傷防止・通気防水性保護シートの辺縁箇所が重畳されたとき、一方の傷防止・通気防水性保護シートの第１傷防止結合層２０１と、他方の傷防止・通気防水性保護シートの第２傷防止結合層３０１が相互に重ねられる。
【００２８】
第１傷防止結合層２０１及び第２傷防止結合層３０１の表面構造は光沢がある滑らかな平面構造であり、かつ第１傷防止結合層２０１と第２傷防止結合層３０１がいずれも粘着性を備えているため、２つの辺縁の重畳面がしっかりと隙間なく接合され、辺縁接合箇所の浸漏問題を防止することができる。
第１傷防止結合層２０１は滑り止め表面も備えており、従来の中空パネルまたは保護フィルムと比較して作業員が第１傷防止結合層２０１の表面上を踏んで作業するとき滑りにくく、作業場所の安全性を高めることができる。
また、重畳されていない面は第２傷防止結合層３０１の表面も粘着性を備えているため、傷防止・通気防水性保護シートを被貼着物上に容易に付着させることができ、外力の摩擦によってずれることがない。かつ第２傷防止結合層３０１は粘着性の粘着力が適切であり、被貼着物上から取り外したとき粘着物が残留する欠点がない。
さらに、第１傷防止結合層２０１と第２傷防止結合層３０１の保護があるため、第１傷防止結合層２０１が外力により傷ついても、第２傷防止結合層３０１が浸漏を防止できるため、二重の浸漏防止効果を達成することができる。
【００２９】
本考案の傷防止・通気防水性保護シートは、緩衝通気層１０１が非織物であり、空気が緩衝通気層１０１中に入ることで、断熱効果と外力の緩衝効果を具備することができる。本考案の傷防止・通気防水性保護シートは、防水シート材とするほか、屋内壁面や床板の断熱シート材として応用することもできる。
緩衝通気層１０１は非織物で、該非織物を鉱物繊維及び金属繊維の少なくとも１つの繊維材料から選択することで、難燃性や防火効果を具備することもできる。
【００３０】
以上をまとめると、本実施例の傷防止・通気防水性保護シートは、二重の防水、傷防止、外力の緩衝、通気、断熱、保温、防火の機能を有する建築材料を確実に提供することができる。
【００３１】
以上は、本考案の実施例の説明にすぎず、これを以って本考案の権利範囲を限定することはできず、実用新案登録請求の範囲を逸脱しない変更や修飾はすべて本考案の権利範囲内に含まれる。
【符号の説明】
【００３２】
１０１        緩衝通気層
２０１        第１傷防止結合層
３０１        第２傷防止結合層
【図１】
0003223408.tif 000003
【図２】
0003223408.tif 000004